【手続補正書】
【提出日】平成18年3月31日(2006.3.31)
【手続補正１】
【補正対象書類名】特許請求の範囲
【補正対象項目名】全文
【補正方法】変更
【補正の内容】
【特許請求の範囲】
【請求項１】
ユーザが電子文書のスタイルを管理するためのコンピュータで実現される方法であって、
個別にユーザが選択可能な複数の属性を含む属性リストを提供するステップを含み、各ユーザが選択可能な属性は電子文書の要素のコンテンツに非依存の特性を規定し、前記方法はさらに、
前記ユーザが前記属性リストからの少なくとも１つの属性および各選択された属性に対する値を既存のスタイルとは独立に選択することを可能にするステップと、
少なくとも１つの新しい一意に識別可能なスタイルを規定するステップとを含み、スタイルは、前記提供された属性リストからユーザに選択された前記少なくとも１つの属性および各選択された属性に対する選択された前記値とを含み、前記方法はさらに、
前記規定されたスタイルおよび少なくとも１つの追加的な記憶されたスタイルを含むユーザが選択可能なスタイルを含むスタイルリストを提供するステップと、
前記提供されたスタイルリストから少なくとも１つのスタイルを前記ユーザが選択することを可能にするステップと、
スタイルシートを規定し、記憶するステップとを含み、前記規定されたスタイルシートは、前記提供されたスタイルリストから少なくとも１つのユーザに選択されたスタイルを含み、前記規定されたスタイルシートは、そこにリンクされると前記電子文書の体裁を制御するように構成され、前記方法はさらに、
リンクステートメントを生成して、前記規定され、記憶されたスタイルシートを前記電子文書にリンクするステップを含む、方法。
【請求項２】
前記生成されたリンクステートメントを前記電子文書に埋込むステップをさらに含み、前記埋込まれたリンクステートメントは、前記電子文書が表現されるときに、前記規定されたスタイルシートによって前記電子文書の体裁が制御されるようにする、請求項１に記載の方法。
【請求項３】
前記電子文書は、ＸＭＬおよびＨＴＭＬの少なくとも１つを含む、請求項１に記載の方法。
【請求項４】
前記電子文書はウェブページを含む、請求項１に記載の方法。
【請求項５】
予め規定されたタグと関連付けられるスタイルの修正を可能にするステップをさらに含む、請求項１に記載の方法。
【請求項６】
保管場所からの記憶されたスタイルシートの検索を可能にし、前記検索されたスタイルシートのスタイルの前記少なくとも１つを修正することを可能にし、前記修正されたスタイルシートを参照するリンクステートメントを前記電子文書に生成および埋込むことを可能にするステップをさらに含む、請求項１に記載の方法。
【請求項７】
構成可能な報告の選択的な生成を可能にして、電子文書を選択された属性、選択されたスタイルおよび選択されたスタイルシートの少なくとも１つと選択的に適合させるステップをさらに含む、請求項１に記載の方法。
【請求項８】
ユーザが電子文書の体裁を制御するためのシステムであって、
データベース駆動の保管場所を含み、前記保管場所は、個別にユーザが選択可能な複数の属性であっていかなる既存のスタイルからも独立にユーザが選択可能な属性と、ユーザが選択可能な複数のスタイルと、複数のスタイルシートであってユーザが選択可能な前記複数の属性およびスタイルから選択されたものを含むスタイルシートを記憶するように構成され、各記憶された属性は、前記電子文書の要素のコンテンツに非依存の特性を規定し、各記憶されたスタイルは、複数の選択された属性を含み、各記憶されたスタイルシートは、少なくとも１つの選択されたスタイルを含み、
前記保管場所に選択的にアクセスして、ユーザが選択可能な前記複数のスタイルのスタイルリストを前記ユーザに提供し、前記スタイルリストから前記ユーザによって選択された、ユーザが選択可能な前記複数のスタイルの少なくとも１つによって規定された新しいスタイルを作成し、かつリンクステートメントを生成するように構成されるスタイルマネージャアプリケーションを含み、前記リンクステートメントは前記新しいスタイルシートを参照し、かつ前記電子文書の前記体裁を制御し、前記システムはさらに、
前記スタイルマネージャアプリケーションを実行するように構成されるコンピュータを含む、システム。
【請求項９】
前記スタイルマネージャアプリケーションは、前記生成されたリンクステートメントを前記電子文書に埋込むように構成される、請求項８に記載のシステム。
【請求項１０】
前記電子文書は、ＸＭＬおよびＨＴＭＬの１つを含む、請求項８に記載のシステム。
【請求項１１】
前記電子文書はウェブページを含む、請求項８に記載のシステム。
【請求項１２】
前記スタイルマネージャアプリケーションは、予め規定されたタグと関連付けられるスタイルを修正するようにさらに構成される、請求項８に記載のシステム。
【請求項１３】
前記スタイルマネージャアプリケーションは、前記保管場所から記憶されたスタイルシートを検索し、ユーザが選択可能な前記スタイルの前記少なくとも１つを修正することを可能にし、かつ前記修正されたスタイルシートへのリンクステートメントを前記電子文書に生成および埋込むようにさらに構成される、請求項８に記載のシステム。
【請求項１４】
前記スタイルマネージャアプリケーションは、構成可能な報告の選択的な生成を可能にして、電子文書を選択された属性、選択されたスタイルおよび選択されたスタイルシートの少なくとも１つと選択的に適合させるようにさらに構成される、請求項８に記載のシステム。
【請求項１５】
ユーザが電子文書の体裁を管理するためのコンピュータで実現される方法であって、
第１のスタイルシートを規定するステップを含み、前記第１のスタイルシートはスタイルを含み、前記スタイルは属性および前記属性と関連付けられる値を含み、前記属性は個別にユーザが選択可能な属性のリストから前記ユーザによって選択され、前記リストは生成され、いかなる既存のスタイルからも独立に前記ユーザによって選択されるように表示されて利用可能にされ、前記方法はさらに、
前記第１の規定されたスタイルシートを記憶するステップを含み、前記属性および前記値はデータベース駆動の保管場所の第１の識別された場所にあり、前記方法はさらに、
前記識別された第１の場所を参照する第１のリンクステートメントを生成するステップと、
前記生成された第１のリンクステートメントを第１の電子文書に埋込んで、前記第１の電子文書が表現されるときに、前記第１のリンクステートメントの実行によって、前記記憶された第１のスタイルシートが前記第１の識別された場所でアクセスされ、前記第１のスタイルシートに含まれる前記スタイルが前記第１の電子文書に適用されるようにするステップとをさらに含む、方法。
【請求項１６】
前記第１の識別された場所にある前記記憶された第１のスタイルシートを検索し、前記検索されたスタイルシートを修正して第２のスタイルシートを作成し、前記第２のスタイルシートを前記データベース駆動の保管場所の第２の識別された場所に記憶し、前記第２の識別された場所にある前記第２のスタイルシートを参照する第２のリンクステートメントを生成し、かつ前記生成された第２のリンクステートメントを第２の電子文書に埋込むステップをさらに含む、請求項１５に記載の方法。
【請求項１７】
前記第１のリンクステートメントを第２の電子文書に埋込むステップをさらに含む、請求項１５に記載の方法。
【請求項１８】
前記第１のリンクステートメントが埋込まれたすべての電子文書を詳述する報告を生成するステップをさらに含む、請求項１５に記載の方法。
【請求項１９】
選択されたスタイルシート、選択されたスタイルおよび選択された属性の１つによってその体裁が少なくとも部分的に制御されるすべての電子文書を詳述する報告を生成するステップをさらに含む、請求項１５に記載の方法。